(57)【特許請求の範囲】
【請求項１】
外壁パネル（５０）を壁受け部材（１）を介して梁（３０）の天端面（３１）に固定した建物の外壁パネル固定構造であって、
該壁受け部材（１）は、起立片（１０）と第一の水平片（１１）と第二の水平片（１２）とを有し、第一の水平片（１１）には、少なくとも立上げ部（２６）と台部（２７）とを有するかさ上げ部（２）が設けられ、
第二の水平片（１２）が、梁（３０）の天端面（３１）から突設するアンカーボルト（７０）に挿通されることにより梁（３０）に固定され、
外壁パネル（５０）の下端（５１）が台部（２７）に載せられ、
外壁パネル（５０）の裏面（５２）から突設するボルト（７５）を軸に回動可能に裏面（５２）に固定された短冊プレート（３）と裏面（５２）とが対向して形成された隙間部（６０）に起立片（１０）が挿し込まれて、梁（３０）の天端面（３１）に外壁パネル（５０）が支持されており、
前記壁受け部材（１）は長尺部材であり、前記かさ上げ部（２）は外壁パネル（５０）の幅寸法の間隔で壁受け部材（１）の第一の水平片（１１）上に設けられた外壁パネル固定構造。
【請求項２】
前記壁受け部材（１）は、第一の水平片（１１）と第一の起立片（１０１）とからなる第一のＬ型アングル（１１０）と第二の水平片（１２）と第二の起立片（１０２）とからなる第二のＬ型アングル（１２０）とが互いの起立片（１０１、１０２）を背中合わせに面着させて前記起立片（１０）を形成するように構成された請求項１に記載の外壁パネル固定構造。
【請求項３】
前記壁受け部材（１）には、かさ上げ部（２）を形成するかさ上げ部材（２１）が配置された請求項１または２に記載の外壁パネル固定構造。
【請求項４】
前記壁受け部材（１）には、前記かさ上げ部材（２１）を配置する基準となる目印が設けられた請求項３に記載の外壁パネル固定構造。
【請求項５】
前記かさ上げ部と壁受け部材（１）とが一の板状部材で構成された、請求項１または２に記載の外壁パネル固定構造。
【請求項６】
前記壁受け部材（１）において、第一のＬ型アングル（１１０）が長尺部材であり、第二のＬ型アングル（１２０）が小物部材であり第一のＬ型アングル１個につき複数個配置された、請求項１ないし５のいずれか一項記載の外壁パネル固定構造。
【請求項７】
さらに、壁受け部材（１）の第一の水平片（１１）と外壁パネル（５０）の下端との間に弾性シーリング材（４）が充填されている請求項１ないし６の何れか一項に記載の外壁パネル固定構造。
【請求項８】
さらに、壁受け部材（１）の第一の水平片（１１）と外壁パネル（５０）の下端（５１）とで形成される隙間に弾性を有する鋼板（６１）を介在させてシーリングポケット（６３）を形成し、該シーリングポケット（６３）に弾性シーリング材（４）が充填されている請求項７に記載の外壁パネル固定構造。
【請求項９】
さらに梁（３０）の天端面の一方側には、外壁パネルが配置され、他方の側には、床パネル（４０）が配置されて支持されている請求項１ないし８の何れか一項に記載の外壁パネル固定構造。
【請求項１０】
前記かさ上げ部（２）の高さ（２８）に合せた厚さの下地層（８５）が前記床パネル（４０）に設けられている請求項９に記載の外壁パネル固定構造。
【請求項１１】
前記下地層（８５）が断熱フォームである請求項１０に記載の外壁パネル固定構造。
【請求項１２】
建物の外壁パネル（５０）を梁（３０）の天端面（３１）に固定するための壁受け部材（１）であって、
該壁受け部材（１）は、
起立片（１０）と第一の水平片（１１）と第二の水平片（１２）とを有し、第一の水平片（１１）には、少なくとも立上げ部（２６）と台部（２７）とを有するかさ上げ部（２）が設けられ、
第二の水平片（１２）が、梁（３０）の天端面（３１）から突設するアンカーボルト（７０）に挿通されることにより梁（３０）に固定され、
外壁パネル（５０）の下端（５１）が台部（２７）に載せられ、
外壁パネル（５０）の裏面（５２）から突設するボルト（７５）を軸に回動可能に裏面（５２）に固定された短冊プレート（３）と裏面（５２）とが対向して形成された隙間部（６０）に起立片（１０）を挿し込むように構成されており、
前記壁受け部材（１）は長尺部材であり、前記かさ上げ部（２）は外壁パネル（５０）の幅寸法の間隔で壁受け部材（１）の第一の水平片（１１）上に設けられている
梁（３０）の天端面（３１）に外壁パネル（５０）を支持する壁受け部材。
【請求項１３】
第一の水平片（１１）と第一の起立片（１０１）とからなる第一のＬ型アングル（１１０）と第二の水平片（１２）と第二の起立片（１０２）とからなる第二のＬ型アングル（１２０）とが互いの起立片（１０１、１０２）を背中合わせに面着させて、前記起立片（１０）を形成可能となるように構成された、請求項１２に記載の壁受け部材。
【発明の詳細な説明】
【技術分野】
【０００１】
本願発明は外壁パネルの下部の梁（基礎梁）への固定構造に関する。具体的には、基礎梁と外壁パネルとの取付け構造に関するものである。さらに、本発明は当該構造に用いられる壁受け部材にも関する。
【背景技術】
【０００２】
（従来技術）
図７は、工業化住宅の外壁部の断面図を示す例である。基礎梁３０または二階梁３５に外壁パネル５０が取り付けられる。
【０００３】
従来の基礎梁や土台の天端面に載せた外壁パネルの固定構造は、図８に示すとおり、基礎梁３０等の天端面３１から突設したたボルト７１を外壁パネル５０の下端小口面から開けられた孔に埋設されたナット（図示せず）で固定する構造が公知である。
【０００４】
また、基礎梁等の天端面に外壁パネルと床パネルを同時に載せる場合には、基礎梁の幅が不足するのを補うよう、図９に示すように、支持部材２０１を設け、断面視で外壁パネル５０を基礎梁３０の外面からせり出した（基礎梁芯から偏芯させた）状態で固定する構造が公知である（特許文献１）。図９において、基準線となる通り芯１４及び床仕上面１５が示されている。当該構造に利用される、支持部材２０１の例を図１０に示す。支持部材２０１は２つのアングル２１０と２２０とから構成される。
【０００５】
なお、建築物の軸組躯体に帳壁を取り付ける際、帳壁が外力で破壊されることがないように軸組が負担すべき外力を直接帳壁に伝達しない、いわゆるロッキング構造が公知となっている（特許文献２）。これは図１１に示すように、水平力を受けた躯体が揺れに応じて帳壁（外壁パネル５０）も所定範囲で動く構造である。
【０００６】
また、外壁パネルの裏面から埋設されたナットにボルトを螺合して裏面から突設させ、ボルトの先端に稲妻プレートをその挿通孔から挿入して該稲妻プレートを外壁パネルの裏面に沿って固定し、さらに外壁パネルと稲妻プレート下部の間にできる隙間を基礎天端面に配置したアングル片を挿入して（短冊プレート方式）、外壁パネルをスライド可能にさせることにより外壁パネル面に平行な方向に及ぶ水平力を逃がす取付構造が公知である（特許文献３及び４）。
【０００７】
図１１に示すロッキング構造では、外壁パネルの下端小口がパネル全幅に亘り基礎の天端面（アングル材）に接触して載せられているので、ロッキング時に外壁パネル下両端が基礎天端にぶつかる。このため、外壁パネルの揺動範囲にはおのずから制限があった。また、建物の振幅が予想外に大きくなると外壁パネルが傷つくおそれも残されていた。
【０００８】
また、特許文献５には、図１２に示すように、基礎部分であるコンクリート梁４１に立ち上がり部と欠きこみ部が設けられ、立ち上がり部の頂部に溝型鋼４３を設け、さらに連結片部４６ａを有する受け金具４６、受け金具４６に固定した揺れ規制部４７に嵌合する取付金具４４を有し、取付金具４４の孔から外壁パネル５０壁面下部に貫通ボルト４５を挿入してナットで締結することにより梁４１に外壁パネル５０を支持するとともに、梁４１の欠きこみ部に、外壁パネル下端を納め、下端小口には支持部材４８で支持する構造が開示されている。また、特許文献６には、外壁パネル下端中心の直下に支持部材を設ける構造が記載されている。
【特許文献１】：特許第３７３４８６２号公報
【特許文献２】：特許第３７０１４８６号公報
【特許文献３】：特許第４００４３５１号公報
【特許文献４】：実公平０４−００４０８４号公報
【特許文献５】：実公平６−２６６５１号公報
【特許文献６】：特開２００９−９７１８４号公報
【０００９】
（先行技術の問題点）
しかしながら、図１２に記載された構造では支持部材４８と揺動部がコンクリート製梁４１の別々の部位に設けられており、支持部材と揺動部に一体性がなく挙動が不確実である。また、ＲＣと思われる梁４１と外壁パネル５０の間にシーリングが施されるが、密着性や防水性も危ういと思われる。
【発明の開示】
【発明が解決しようとする課題】
【００１０】
（発明の目的） 
本願発明は、上記問題点の解決を図ることを目的とし、基礎梁等に対して外壁パネルを偏芯させて配置する外壁パネル固定構造について、ロッキングの挙動が確保できる基礎梁と外壁パネル下部に関する外壁パネル固定構造を提供することを目的とする。
【課題を解決するための手段】
【００１１】
課題を解決するために、本願発明では、外壁パネル（５０）を壁受け部材（１）を介して梁（３０）の天端面（３１）に固定した建物の外壁パネル固定構造であって、該壁受け部材（１）は、起立片（１０）と第一の水平片（１１）と第二の水平片（１２）とを有し、第一の水平片（１１）には、少なくとも立上げ部（２６）と台部（２７）とを有するかさ上げ部（２）が設けられ、第二の水平片（１２）が、梁（３０）の天端面（３１）から突設するアンカーボルト（７０）に挿通されることにより梁（３０）に固定され、外壁パネル（５０）の下端（５１）が台部（２７）に載せられ、外壁パネル（５０）の裏面（５２）から突設するボルト（７５）を軸に回動可能に裏面（５２）に固定された短冊プレート（３）と裏面（５２）とが対向して形成された隙間部（６０）に起立片（１０）が挿し込まれて、梁（３０）の天端面（３１）に外壁パネル（５０）が支持されており、前記壁受け部材（１）は長尺部材であり、前記かさ上げ部（２）は外壁パネル（５０）の幅寸法の間隔で壁受け部材（１）の第一の水平片（１１）上に設けられたことを特徴とする。
ここで、外壁パネル（５０）の下端（５１）は、いわゆる小口面の部分であり、外壁パ
ネル（５０）の幅の略中央部が、かさ上げ部（２）の台部（２７）に載せられる例が考え
られる。
【００１２】
また、前記壁受け部材（１）は、第一の水平片（１１）と第一の起立片（１０１）とからなる第一のＬ型アングル（１１０）と第二の水平片（１２）と第二の起立片（１０２）とからなる第二のＬ型アングル（１２０）とが互いの起立片（１０１、１０２）を背中合わせに面着させて前記起立片（１０）を形成するように構成されたことを特徴とする。
例えば、前記かさ上げ部（２）を挟んだ両側において締結部材（７３，７４）で固定されること等により２つの起立片を面着させるのである。
【００１４】
さらに、 前記壁受け部材（１）には、かさ上げ部（２）を形成するかさ上げ部材（２１）が配置されたことを特徴とする。また、さらに、前記壁受け部材（１）には、前記かさ上げ部材（２１）を配置する基準となる目印が設けられたことを特徴とする。
【００１５】
あるいは、前記かさ上げ部と壁受け部材（１）とが一の板状部材で構成されたことを特徴とする。
【００１６】
さらに、前記壁受け部材（１）において、第一のＬ型アングル（１１０）が長尺部材であり、第二のＬ型アングル（１２０）が小物部材であり第一のＬ型アングル１個につき複数個配置されたことを特徴とする。
【００１７】
さらに、壁受け部材（１）の第一の水平片（１１）と外壁パネル（５０）の下端との間に弾性シーリング材（４）が充填されていることを特徴とする。また、さらに、壁受け部材（１）の第一の水平片（１１）と外壁パネル（５０）の下端（５１）とで形成される隙間に弾性を有する鋼板（６１）を介在させてシーリングポケット（６３）を形成し、該シーリングポケット（６３）に弾性シーリング材（４）が充填されていることを特徴とする。
【００１８】
さらに梁（３０）の天端面の基準線である通り芯（１４）を挟んだ一方側には、外壁パネルが配置され、通り芯（１４）を挟んだ他方の側には、床パネル（４０）が配置されて支持されていることを特徴とする。また、さらに、 前記かさ上げ部（２）の高さ（２８）に合せた厚さの下地層（８５）が前記床パネル（４０）に設けられていることを特徴とする。また、さらに、 前記下地層（８５）が断熱フォームであることを特徴とする。
【００１９】
一方、本願発明は、建物の外壁パネル（５０）を梁（３０）の天端面（３１）に固定するための壁受け部材（１）であって、該壁受け部材（１）は、起立片（１０）と第一の水平片（１１）と第二の水平片（１２）とを有し、第一の水平片（１１）には、少なくとも立上げ部（２６）と台部（２７）とを有するかさ上げ部（２）が設けられ、第二の水平片（１２）が、梁（３０）の天端面（３１）から突設するアンカーボルト（７０）に挿通されることにより梁（３０）に固定され、外壁パネル（５０）の下端（５１）が台部（２７）に載せられ、外壁パネル（５０）の裏面（５２）から突設するボルト（７５）を軸に回動可能に裏面（５２）に固定された短冊プレート（３）と裏面（５２）とが対向して形成された隙間部（６０）に起立片（１０）を挿し込むように構成されており、前記壁受け部材（１）は長尺部材であり、前記かさ上げ部（２）は外壁パネル（５０）の幅寸法の間隔で壁受け部材（１）の第一の水平片（１１）上に設けられていることを特徴とする。
【００２０】
さらに、第一の水平片（１１）と第一の起立片（１０１）とからなる第一のＬ型アングル（１１０）と第二の水平片（１２）と第二の起立片（１０２）とからなる第二のＬ型アングル（１２０）とが互いの起立片（１０１、１０２）を背中合わせに面着させて、前記起立片（１０）を形成可能となるように構成されたことを特徴とする。
【発明の効果】
【００２１】
本願発明では、外壁パネルの基礎梁への取り付け部（搖動部）にかさ上げ部を一体化するか、取り付け部（搖動部）にかさ上げ部の位置を一致させているのでロッキング挙動が確実になり、優れた耐震性能を有するという顕著な作用・効果を有する。
【図面の簡単な説明】
【００２２】
【図１】本願発明による外壁パネル構造の第一の実施形態を示す図である。
【図２】本願発明第一の実施形態による外壁パネル構造の詳細図である。
【図３】本願発明による壁受け部材の一実施例を示す図である。
【図４】第一のＬ型アングルとかさ上げ部とを１枚板材から作成した例の斜視図である。
【図５】薄板鋼板６１の実施例を示す図である。
【図６】第一の実施形態と第二の実施形態との相違を示す図である。
【図７】工業化住宅の外壁部の断面図の例である。
【図８】外壁パネルを基礎梁に固定する場合、従来の固定構造例を示す図である。
【図９】外壁パネルを基礎梁芯から偏心させた状態で基礎梁に固定する場合の、従来の構造例を示す図である。
【図１０】従来構造に用いられる支持部材の例を示す。
【図１１】ロッキング構造を示す図である。
【図１２】外壁パネルを基礎梁に固定する場合、他の従来の固定構造例を示す図である。
【発明を実施するための最良の形態】
【００２３】
（第一実施形態）
第一実施形態は、本発明に係る基本的な外壁パネル固定構造であり、外壁パネルの下端（小口面）の略中央部で支持部品により１点支持する。当該支持部品である壁受け部材は、建物の設計モジュール寸法に従って等間隔で、基礎梁に設けられるアンカーボルトによって締結される構成である。
【００２４】
図１には第一の実施形態の全体構造を示し、図２のうち（ｂ）には建物の外壁パネル固定構造の組立部分の断面図を、（ａ）及び（ｃ）には、それぞれ（ｂ）におけるＡ−Ａ及びＢ−Ｂによる断面を示す。図３にはこの構造に用いられる壁受け部材１の実施例を示す。各部分の構造を下記に説明する。
【００２５】
（１）梁
建物の基礎梁３０は、断面形状が逆Ｔ字やＬ字の形状の鉄筋コンクリート製の連続布基礎の基礎梁部分であり、複数の外壁パネル５０をその側面を突き合わせて並べ（図示せず）、支持部品である壁受け部材１を設け、壁受け部材１を介在させて、順次基礎梁３０の上端面（天端面）３１に固定する。建物の基礎梁３０は、鉄筋コンクリート製に限らず、鋼材の梁（Ｈ型鋼、Ｃ型鋼、他）が採用可能である。図１には、基準線である通り芯１４が示される。
【００２６】
（２）壁受け部材
壁受け部材１は、起立片１０、第一の水平片１１、第二の水平片１２及びかさ上げ部２を有し、立上げ部２６と台部２７とを有したかさ上げ部２が第一の水平片１１上に設けられる。第一の水平片１１は起立片１０とともに外壁パネル５０の下部を受け持ってこれを固定するために設けられる。第一のＬ型アングルにおける垂れた部分１８は、水切りのために設けたものであるが、後に説明する鋼板６１をはめる場合の係止のためにも有用である。
【００２７】
第二の水平片１２は、基礎梁３０に埋め込まれたアンカーボルト７０を利用して壁受け部材１を固定するための部分である。第二の水平片１２は、梁３０の天端面３１から突設するアンカーボルト７０に挿通してナット（図示せず）で締結されることにより梁３０の天端面３１に固定される。
【００２８】
前記壁受け部材１は、好ましくは、第一の水平片１１と第一の起立片１０１とからなる第一のＬ型アングル１１０と、第二の水平片１２と第二の起立片１０２からなる第二のＬ型アングル１２０とが互いの起立片１０１及び１０２を背中合わせに面着して構成される。この場合面着された第一の起立片１０１及び第二の１０２が起立片１０を構成する。
【００２９】
図２に示されるように、第一のＬ型アングル１１０と第二のＬ型アングル１２０互いの起立片１０１及び１０２の面着は、一組のボルト７３とナット７４などの締結部材を使用している。梁３０の天端面３１から突設するアンカーボルト７０を挟んだ位置で締結し、締結部材の間にかさ上げ部２を設けている。
第一のＬ型アングル１１０及び第二のＬ型アングル１２０は、連続布基礎の基礎梁である梁３０の天端面の長さ方向に沿って設置されるが、連続する「長尺物部材」とすることができ、外壁パネル５０の配置間隔に適応させて等間隔に配置する「小物部材」とすることでもよい。いずれの場合にも壁受け部材１に設けられるかさ上げ部２が各外壁パネル５０の略中央の位置するように配置される。
【００３０】
かさ上げ部２は、かさ上げ部材２１が第一の水平片１１上に配置されていることにより形成されている。図１ないし図３において、かさ上げ部２は、断面ロの字型となる、第一のＬ型アングル１１０とは別の部材で構成される。このとき、壁受け部材１、具体的には第一の水平片１１，第二の水平片２１または起立片１０のいずれかに、かさ上げ部材２１を配置する基準となる目印（図示せず）を設けると便利である。目印は例えば、第一の水平片１１においてかさ上げ部材２１を配置する場所に浅い凹部を設けることで実現できる。
【００３１】
一方、図４に壁受け部材１の別の実施例を示す。第一の水平片１１及び第一の起立片１０１の中央部を折り上げ加工をして、かさ上げ部２を第一のＬ型アングル１１０と一体的に形成した例である。このように、壁受け部材１とかさ上げ部２とを１枚の板材から制作することが可能である。
【００３２】
第一のＬ型アングル１１０と第二Ｌ型アングル１２０とは、基礎梁３０に比較して十分短い長さを有する「小物部材」である。例えば、外壁パネルの幅寸法（例えば６１０ｍｍ）に一致させてもよいが、図４では、外壁パネルの幅寸法（６１０ｍｍ）に対して、１５０ｍｍ〜２００ｍｍ程度に第一及び第二のＬ型アングルの長さを合わせている。（もちろん、かさ上げ部材２１を第一のＬ型アングル１１０とは別の部材で構成した場合においても、図４と同様、外壁パネルの幅寸法（６１０ｍｍ）に対して１５０ｍｍ〜２００ｍｍ程度に第一及び第二のＬ型アングルの長さを設定することも可能である。）第一のＬ型アングルと第二のＬ型アングルとを背中合わせに面着させる際、かさ上げ部２の両側においてボルト・ナットで締結して固定するようになっているが、これに換えて溶接して一体化してもよい。この場合、両側のボルト・ナットに挟まれた位置（設計モジュール寸法Ｘ＝６１０ｍｍの間隔で設けられている。）を目印としてかさ上げ部材２を設けることができる。
【００３３】
また、かさ上げ部２の長さは例えば１００ｍｍであり、かさ上げ部２によってかさ上げされる寸法、すなわちかさ上げ寸法２８の例は３０ｍｍである。
【００３４】
（３）外壁パネルの固定
外壁パネル５０は、その下端（小口面）５１の中央部を前記台部２７に載せることにより、梁３０の天端面３１に配置される。
【００３５】
ここで、短冊プレート３を利用して、壁受け部材１を外壁パネル５０に固定する。短冊プレート３はその裏面から突設されるボルト７５を軸に回動可能に外壁パネル５０の裏面に固定される。該短冊プレート３と該外壁パネル５０の裏面５２とが対向して形成された隙間部６０に前記壁受け部材１の起立片１０が挿し込まれて支持される。このような構造を設けるため、短冊プレート３は断面が稲妻形をしていることが好ましい。
【００３６】
（４）隙間部のシーリング等
好ましくは、外壁パネル５０と壁受け部材１とで構成される隙間にシーリング部材４を充填し、さらに好ましくは、隙間形状に係合する厚さの薄い鋼板６１を嵌めた上で、シーリング部材４を充填する。この構造を下記に示す。
【００３７】
壁受け部材１の第一の水平片１１と外壁パネル５０の下端（小口面）５１とで形成される隙間形状に係合する弾性を有する鋼板６１を嵌める。鋼板６１の斜視図を図５に示す。鋼板６１は基礎梁３０の長さに対応した長尺部材とすることが好ましい。鋼板６１の厚さは、０．４ｍｍ厚程度であるが、弾性を有して形状が保持される限り厚さは限定されない。また、樹脂材などでも良い。
【００３８】
鋼材６１は、かさ上げ部２の立上げ部（２６）にビス７７等で固定される。このため鋼板６１には、かさ上げ部２の配置間隔に合わせて、ビス孔７８を予め設けておくことが好ましい。
【００３９】
かさ上げ部２のかさ上げ寸法２８が、例えば３０ｍｍを越え５０ｍｍ前後と大きい場合は、鋼板６１によりシーリングポケット６３を形成し、シーリングポケット６３は弾性シーリング材４を打設して充填される。これにより、弾性を有する鋼板６１と弾性シーリング材４により、外壁パネル５０と基礎梁３０の天端面３１との隙間の防水を確実にするとともに、外壁のかさ上げ部２を支点とする外壁パネル５０の揺れを一定範囲に押さえ、かつ減衰させる効果が期待できる。シーリング部材は、ポリウレタン樹脂製が使用されるが、
これに限らず、弾性、コンクリートや鋼材等との密着性、防水性を有する限りあらゆる材料が使用可能である。
【００４０】
なお、かさ上げ部２のかさ上げ寸法２８が、例えば１０ｍｍ〜２０ｍｍ程度と小さい場合は、鋼板６１を嵌めでシーリングポケットを形成せずに、外壁パネル５０と壁受け部材１とで構成される隙間にシーリング材を充填することも可能である。
【００４１】
（５）床パネル、下地層（断熱材）
さらに、基礎梁３０の天端面３１の上に床パネル４０を設ける。この場合、外壁パネル５０と該床パネル４０の間にモルタル９０を介在させることが行われる。床パネル４０の上には、必要に応じて断熱フォーム８５などの下地層を敷く。断熱フォームの層厚を前記壁受け部材１のかさ上げ部２の台部の高さ（かさ上げ寸法２８）に一致させると、柱梁の構成（軒高や柱梁の取り付き位置）、部材の設計を変更せずに、基礎梁の天端高を下げて床パネルを敷設して、その高さに一致した層厚の断熱フォームを敷くことが可能であり好都合である。断熱材が入るので住宅の床部の高断熱化に寄与する。
【００４２】
本実施形態においては、つぎのような作用効果を有する。
【００４３】
外壁パネルの基礎梁への取り付け部（搖動部）にかさ上げ部を一体化するか、取り付け部（搖動部）にかさ上げ部の位置を一致させているのでロッキング挙動が確実になり、優れた耐震性能を有するという顕著な作用・効果を有する。
【００４４】
また、外壁パネルの下側（小口面）の両端は、基礎天端面と隙間を形成し、中央部でのみ支えられるので、躯体全体が揺れたときに、外壁パネルの搖動（ロッキング）を妨げない。また、搖動により外壁パネルが傷つくことがない。
【００４５】
特に、外壁パネルがＡＬＣ（軽量気泡コンクリート）である場合、ＡＬＣの基材・表面を傷めたりへこませたりすることなく、ＡＬＣ自体を搖動することがきる。
【００４６】
外壁パネルと壁受け部材の隙間に弾性シーリング材が充填された場合、かさ上げ高さを十分に確保しつつ、下部基礎梁との隙間を弾性及び水密性のある部材で構成したので、躯体の層間変形角が大きな場合にも外壁のロッキング挙動を制限することなく挙動範囲にも十分な余裕があり、また、一方、薄板鋼板をはめ込んだ場合は、薄板鋼板の作用によりロッキングによる外壁パネルの挙動範囲が大きくなりすぎることを抑えることができる。これによりシーリングの亀裂等による防水部の破壊を回避することができる。
【００４７】
また、かさ上げ部のかさ上げ寸法の分だけ、ＡＬＣ等の床パネルの床下げ対応が可能である。また、床の層構成（断熱材の追加等）を厚くすることができる。また、床下げ及び層構成の変更調整が可能である。
【００４８】
すなわち、かさ上げ部のかさ上げ寸法の分だけ、工業化住宅の基礎の天端を低くすることにより階高寸法を大きくすることができるので、外壁パネルの高さ寸法を変更せずに済む。しかも基礎天端に載せる床パネルの面が下がるので、従来の規格のまま、室内天井高を高くしたり、床下地の断熱材の厚さを増やしたりすることができる。したがって、工業化住宅において、工業化住宅の規格化された外壁パネルをそのまま使用して躯体システムの軒高を変更せずに（すなわち、有効天井高を低くせずに）床の断熱材層を厚くして躯体の省エネ性能を向上させつつ建物の地震時等に生じるロッキング挙動範囲を十分に確保し、基礎梁と外壁パネル下部の防水性が高い外壁パネル（下部の）固定構造となる。法令に基づく建築制限により有効天井高を高くすることができない場合に好都合である。
【００４９】
（第二実施形態）
つぎに本願発明による  外壁パネル固定構造の第二の実施形態を示す。
本実施形態は、壁受け部材１の構成が異なる点が相違するほかは、第一実施形態と共通である。本実施形態は、壁受け部材を長尺のアングル材として該アングル材にかさ上げ部を設けるものである。かさ上げ部２などの構成に第一の実施形態で説明されたものを採用できる
【００５０】
長尺部材となる壁受け部材１の構成例を下記に示す。第一のＬ型アングル１１０を連続布基礎の基礎梁３０の長さ全体に亘った「長尺部材」とする一方、第二のＬ型アングル１２０を例えば外壁パネルの幅寸法（例えば６１０ｍｍ）の長さを有する「小物部材」とする。また、第二のＬ型アングル１２０の長さは、図４に示したように、６１０ｍｍの外壁パネルの幅寸法に対して１５０ｍｍ〜２００ｍｍとするなど、相対的に短くすることも可能である。必要とされる数の第二のＬ型アングル１２０を長さ方向に並べ、第一のＬ型アングル１１０に面着させる。さらに、第一のＬ型アングル１１０を基礎梁３０の天端３１に固定していく。第二のＬ型アングル１２０は第一の実施形態で示した構成のものを使用できる。さらに第一のＬ型アングル１１０の第一の水平片上１１に、第二のＬ型アングル１２０の長さまたは外壁パネルの幅寸法の間隔で、かさ上げ部２を設ける。かさ上げ部２の構成は、第一の実施形態で示したようなかさ上げ部材２１を用いることができる。さらに、第一のＬ型アングル１１０の第一の水平片１１または第一の起立片１０１にかさ上げ部材２１を配置する基準となる目印を設けると便利である。
【００５１】
本実施例の、図３及び図４に示した例との２つのＬ型アングル１１０及び１２０における相違を図６に示す。これは上面図であり、この図においては、第一及び第二のＬ型アングル１１０及び１２０、並びにかさ上げ部２のみを示している。（Ａ）は図３に示された構造であり、第一及び第二のＬ型アングルが同じ長さ（外壁パネルと同じ長さである６１０ｍｍ）で短いもの（「小物部材」）が長さ方向に配置されている。（Ｂ）は本構成例を示し、第一のＬ型アングル１１０が基礎梁の直線部の長さに亘って長尺（寸法Ｘ＝６１０ｍｍの整数倍、１８３０ｍｍ、３６６０mm等）の部材を複数用いて構成し、その長さに対応して、短い（１５０ｍｍ〜２００ｍｍ程度）第二のＬ型アングル１２０が複数配置される。第一のＬ型アングルが長尺部材、第二のＬ型アングルが小物部材となり、壁受け部材として長尺となるほかは、壁受け部材の構成は第一の実施形態と同様である。すなわち、かさ上げ部２などの構成に第一の実施形態を採用できる。図６（Ｂ）においては、（Ａ）と相違し、第一のＬ型アングル１１０に継ぎ目の箇所が少ない。また、図６（Ｃ）は、第一の実施形態の図４に示した例に対応する。外壁パネルの幅寸法（６１０ｍｍ）に対して、１５０ｍｍ〜２００ｍｍ程度に第一及び第二のＬ型アングルの長さを合わせているものである。
【００５２】
なお、図６において寸法Ｘは、工業化住宅の設計に使用される基本的な単位寸法（モジュール寸法）である。基礎には、寸法Ｘごとにアンカーボルトが埋設されている。また、外壁パネルの幅（６１０ｍｍ）は、寸法Ｘに一致している（一般に工業化住宅の構成部品は、寸法Ｘに一致するかその整数倍または整数分の一に設定される。）。
【００５３】
本実施形態では、第一実施形態で採用した種々の構成を採用している。したがって、本実施形態においても、第一実施形態と同様の効果を得ることができる。
【００５４】
以上本発明の実施例を説明した。特許請求の範囲に記載された発明の技術的思想から逸脱することなく、これらに変更を施すことができることは明らかである。
【符号の説明】
【００５５】
壁受け部材                  １
かさ上げ部                  ２
短冊プレート                ３
弾性シーリング材            ４
起立片                    １０
第一の水平片              １１
第二の水平片              １２
通り芯                    １４
床仕上げ面                １５
かさ上げ部材              ２１
立上部                    ２６
台部                      ２７
立ち上げ寸法              ２８
梁                        ３０
梁の天端面                ３１
床パネル                  ４０
外壁パネル                ５０
外壁パネルの下端（小口面）５１
外壁パネルの裏面          ５２
隙間部                    ６０
鋼板                      ６１
シーリングポケット        ６３
アンカーボルト            ７０
ボルト                    ７３
ナット                    ７４
下地層（断熱フォーム）    ８５
アンカーボルトを通す孔    ９８
Ｌ型アングル締結用孔      ９９
第一の起立片            １０１
第二の起立片            １０２
第一のＬ型アングル      １１０
第二のＬ型アングル      １２０
【図１】
0005662103.tif 000002
【図２】
0005662103.tif 000003
【図３】
0005662103.tif 000004
【図４】
0005662103.tif 000005
【図５】
0005662103.tif 000006
【図６】
0005662103.tif 000007
【図７】
0005662103.tif 000008
【図８】
0005662103.tif 000009
【図９】
0005662103.tif 000010
【図１０】
0005662103.tif 000011
【図１１】
0005662103.tif 000012
【図１２】
0005662103.tif 000013